(57)【要約】      （修正有）【課題】所望の形状及び模様を表す本体部を分割してその一部を差し替え可能にするとともに、差し替え作業時以外は取れにくいマスコットを提供する。【解決手段】マスコットは、心棒１４と本体部１０と留め具１５を備える。本体部１０は、複数のパーツ１１〜１３で構成され、パーツ１１は心棒１４の一端と一体に構成され、他のパーツ１２、１３は心棒１４を通る貫通孔が設けられる。本体部１０は扁平状である。留め具１５は、心棒１４の他端側に着脱可能に設けられる。貫通孔を有するパーツ１２、１３は、留め具１５を外した際に、心棒１４の他端から取り外し可能であり、かつ、心棒１４がパーツ１２、１３の貫通孔を通った状態で留め具１５を取り付けた際に、留め具１５が通過できないよう貫通孔が十分小さく構成される。【選択図】図１
0003189655.tif 000002
【実用新案登録請求の範囲】
【請求項１】
心棒と、
複数のパーツで構成された本体部であって、パーツのひとつは前記心棒の一端と一体に構成され、他のパーツは該心棒を通る貫通孔が設けられた前記本体部と、
前記心棒の他端側に着脱可能に設けられた留め具と
を備え、
貫通孔を有する前記パーツは、
前記留め具を外した際に、前記心棒の他端から取り外し可能であり、かつ、
前記心棒が前記パーツの貫通孔を通った状態で前記留め具を取り付けた際に、前記留め具が通過できないよう前記貫通孔が十分小さく構成されたマスコット。
【請求項２】
心棒と、
前記心棒の一端に設けられたストッパと、
複数のパーツで構成された本体部であって、各パーツには前記心棒を通る貫通孔が設けられた前記本体部と、
前記心棒の他端側に着脱可能に設けられた留め具と
を備え、
各パーツは、
前記留め具を外した際に、前記心棒の他端から取り外し可能であり、かつ、
前記心棒が各パーツの貫通孔を通った状態で前記留め具を取り付けた際に、前記留め具と前記ストッパが通過できないよう前記貫通孔が十分小さく構成されたマスコット。
【請求項３】
前記ストッパは、前記心棒と一体に形成される請求項２に記載のマスコット。
【請求項４】
前記ストッパは、前記心棒に着脱可能に取り付けられる請求項２に記載のマスコット。
【請求項５】
前記本体部は、扁平状である請求項１乃至４のいずれかに記載のマスコット。
【請求項６】
前記心棒の長さは、各パーツの貫通孔を該心棒が通り前記留め具が取り付けられた際、前記パーツのうち最も前記留め具に近接しているパーツと前記留め具が接するよう構成された長さである請求項１乃至５のいずれかに記載のマスコット。
【請求項７】
前記本体部は、パーツの貫通孔に前記心棒を通すことで所望の形状又は模様を構成する請求項１乃至６のいずれかに記載のマスコット。
【請求項８】
前記本体部は、キャラクターの形状及び模様を有し、
前記複数のパーツは、キャラクターの胴体に相当する胴体パーツと、キャラクターの顔に相当する顔パーツと、キャラクターの髪に相当する髪パーツとを含む請求項１乃至７に記載のマスコット。
【請求項９】
前記本体部は、キャラクターの形状及び模様を有し、
前記複数のパーツは、キャラクターの胴体に相当する胴体パーツと、キャラクターの顔に相当する顔パーツと、キャラクターの髪に相当する髪パーツとを含み、
前記胴体パーツが、前記心棒の一端と一体に構成され、
前記顔パーツと前記髪パーツは前記心棒が通る貫通孔を有する請求項１に記載のマスコット。
【請求項１０】
前記複数のパーツは、
表面及び裏面の両面に模様が形成された第１パーツと、
第２パーツと
を有し、
前記心棒を前記第１パーツと前記第２パーツに通したときに、前記第２パーツは、前記第１パーツの片面を覆う請求項１乃至７のいずれかに記載のマスコット。
【請求項１１】
前記第１パーツはキャラクターの顔に相当する顔パーツであり、
前記第２パーツはキャラクターの髪に相当する髪パーツであり、
前記キャラクターの後ろ髪が、顔パーツの背面を覆う請求項１０に記載のマスコット。
【請求項１２】
前記複数のパーツの少なくともふたつは、前記心棒を通したときに互いに接する箇所が、正面視において、対応する形状に湾曲している請求項１乃至１１のいずれかに記載のマスコット。
【請求項１３】
前記心棒の断面の最大径が、前記本体部の貫通孔の断面の最小径よりも大きい請求項１乃至１２のいずれかに記載のマスコット。
【請求項１４】
前記心棒は扁平状に構成され、前記パーツの貫通孔の断面形状は前記心棒の断面形状と同形状であり、前記心棒が各パーツの貫通孔を通った状態で、前記心棒と前記パーツの貫通孔の隙間が小さいよう構成された請求項１乃至１３のいずれかに記載のマスコット。
【考案の詳細な説明】
【技術分野】
【０００１】
本考案は、マスコットに係り、特にパーツが差し替え可能なラバーマスコットに関する。
【背景技術】
【０００２】
携帯電話等に取り付けるストラップや、鍵等に取り付けるキーホルダーが知られている。ストラップやキーホルダー（以下まとめて、マスコットという）は携帯電話や鍵などに取り付けるための取付部と、飾りとしての本体部とを備えている。また、マスコットのうち、本体部が扁平状なストラップであり、ゴムでできたラバーストラップが知られている。
【考案の概要】
【考案が解決しようとする課題】
【０００３】
従来のマスコットの一つであるラバーストラップは、本体部は一体に形成されていた。この本体部の一部を他のものと差し替え可能にしたり、本体部の一部を裏返し可能にすることで、本体部の一部の形状、模様及び色彩を変更可能にするニーズがある。このようにすることで、ユーザはラバーストラップについて好みの形状、模様及び色彩を選択できる。
【０００４】
しかしながら、本体部を複数のパーツに分割し、それぞれを着脱可能にすると、例えばラバーストラップが何かに触れたときなどに各パーツがとれてしまうおそれがある。一方、本体部を基部と可換パーツに分割し、可換パーツを基部に取り付ける形状であるものも取り付けによっては容易にとれてしまう場合がある。さらに、ラバーストラップを携帯品につけていたときにパーツがとれると、パーツを紛失するおそれがある。このような課題は、ラバーストラップに限らず、他の素材のストラップ、及び、キーホルダー等のマスコットでも同様に生じる。
【０００５】
本考案は以上の点に鑑み、所望の形状及び模様を表す本体部を分割してその一部を差し替え可能にするとともに、差し替え作業時以外は取れにくいマスコットを提供することを目的とする。
【課題を解決するための手段】
【０００６】
本考案の第１の解決手段によると、
心棒と、
複数のパーツで構成された本体部であって、パーツのひとつは前記心棒の一端と一体に構成され、他のパーツは該心棒を通る貫通孔が設けられた前記本体部と、
前記心棒の他端側に着脱可能に設けられた留め具と
を備え、
貫通孔を有する前記パーツは、
前記留め具を外した際に、前記心棒の他端から取り外し可能であり、かつ、
前記心棒が前記パーツの貫通孔を通った状態で前記留め具を取り付けた際に、前記留め具が通過できないよう前記貫通孔が十分小さく構成されたマスコットが提供される。
【０００７】
本考案の第２の解決手段によると、
心棒と、
前記心棒の一端に設けられたストッパと、
複数のパーツで構成された本体部であって、各パーツには前記心棒を通る貫通孔が設けられた前記本体部と、
前記心棒の他端側に着脱可能に設けられた留め具と
を備え、
各パーツは、
前記留め具を外した際に、前記心棒の他端から取り外し可能であり、かつ、
前記心棒が各パーツの貫通孔を通った状態で前記留め具を取り付けた際に、前記留め具と前記ストッパが通過できないよう前記貫通孔が十分小さく構成されたマスコットが提供される。
【考案の効果】
【０００８】
本考案によると、所望の形状及び模様を表す本体部を分割してその一部が差し替え可能であるともに、差し替え作業時以外は取れにくいマスコットを提供することができる。
【図面の簡単な説明】
【０００９】
【図１】実施例におけるマスコットの一例であるストラップを正面からみた全体構成図。
【図２】本体部の分解図。
【図３】パーツの裏返しの説明図。
【図４】ストラップの背面図。
【図５】心棒の第１変形例を示す図。
【図６】第１変形例におけるストラップを正面からみた全体構成図。
【図７】心棒の第２変形例を示す図。
【考案を実施するための形態】
【００１０】
以下、図面を参照して、本考案の実施例を説明する。なお、以下の実施例ではラバーストラップを例に説明するが、ストラップ以外のマスコットでもよく、本体部がゴム以外の素材で構成されたマスコットでもよいし、ゴムとゴム以外の素材を組み合わせて構成されてもよい。
【００１１】
図１は、本実施例におけるラバーストラップを正面からみた全体構成図である。
本ラバーストラップは、例えば、本体部１０と、心棒１４と、留め具１５と、取付部１６とを備える。
【００１２】
本体部１０は、例えば複数のパーツ１１〜１３で構成され、例えば扁平状である。本実施例では、取付部１６を固定して吊り下げたときに再下端にくるパーツ１１が心棒１４の一端と一体に構成され、他のパーツ１２、１３には心棒１４が通る貫通孔が設けられている。パーツ１２、１３の貫通孔に、パーツ１１と一体に形成された心棒１４を順に通すことで本体部の所定の形状又は模様を構成する。なお、本明細書において本体部とは、パーツ１１〜１３を所定の順に並べたときに、キャラクターなどの所定の形状又は模様を構成する部分をいう。なお、パーツ１１と心棒１４は、パーツ１１と心棒１４を同時に成型することで一体に構成されてもよいし、別々のパーツ１１と心棒１４を接着するなどにより一体に構成されてもよい。一体に構成することで、製造コストを低減することができる。なお、留め具１５はパーツ１２、１３の貫通孔を通過できない程度に大きいことが望ましい。取付部１６を下にして本体部１０を吊り下げた場合であっても、留め具１５が十分に大きいことで、パーツ１２、１３が留め具１５を通過して脱落することを防ぐことができる。従来技術による可換パーツを備えたラバーストラップでは、可換パーツと基部の両方の厚みが必要となるところ、本考案による実施例のラバーストラップでは、扁平であるという特徴を損なわないことも効果の一つとなる。
【００１３】
心棒１４は本体部１０の貫通孔を貫通する。心棒１４の長さは留め具１５が取り付け可能な程度に長ければよいが、例えば、パーツ１２、１３の貫通孔を心棒１４が通り留め具１５が取り付けられたときに、パーツ１２、１３の心棒１４の長手方向の移動が留め具１５により抑えられるよう、全てのパーツを心棒１４に通した場合に、最も留め具１５の取り付け部に近いパーツ（実施例によるとパーツ１３）の上部に留め具１５の取り付け部を有する長さであることでパーツ１２、１３の心棒１４に対する長手方向の移動を抑えることを可能としてもよい。
【００１４】
取付部１６は、携帯機器又は固定物等の他の物体に取り付けるためのものである。取付部１６は、例えば、紐、リング、ボールチェーン等でもよい。また、取付部１６を磁石で構成してもよく、この場合冷蔵庫やスチール製の机等にも取り付けることができる。取付部１６は、吸盤で構成してもよく、この場合適宜の物体に取り付けることができる。
【００１５】
留め具１５は、心棒１４と取付部１６を着脱可能に結合するものであり、例えば、カニカン、その他適宜の留め具を用いることができる。図示の例では心棒１４の一端（図１における下側端部）はパーツ１１と一体に構成され、心棒１４の他端１５に留め具１５が設けられる。なお、留め具１５の構成によっては必ずしも心棒１４の端部でなくてもよく、留め具１５パーツ１１とでパーツ１２、１３を挟むように、パーツ１１と反対側にあればよい。留め具１５は、心棒１４に各パーツが取り付けられた状態で留め具１５が心棒１４に取り付けられた際に、本体部１０が心棒１４から抜け落ちるのを防ぐ大きさを有する。
【００１６】
図２は、本体部の分解図である。なお、図２は少し右からみた図であり、各パーツ１１〜１３及び心棒１４を立体的に表している。
本体部１０は、例えばキャラクターの形状及び模様を有し、キャラクターの胴体に相当する胴体パーツ１１と、キャラクターの顔に相当する顔パーツ１２と、キャラクターの髪に相当する髪パーツ１３とを含む。
【００１７】
本実施例では、胴体パーツ１１と心棒１４が一体に形成され、取付部１６を他の物体に取り付けた際に鉛直方向で最も下に位置する胴体パーツ１１が、ストッパの役割を果たす。ストッパは、各パーツの貫通孔より大きく、本体部１０が心棒から抜けないようにするものであり、心棒１４の両端部のうち留め具１５が取り付けられる端部とは逆の端部にある。
【００１８】
パーツ１１〜１３は、形状又は模様の異なる他のパーツに差し替えることができる。例えば、胴体パーツ１１は、他の服装又は装飾品を有する胴体パーツ、他の姿勢、ポーズの胴体パーツ等に差し替えることができる。顔パーツは、他の表情の顔パーツに差し替えることができる。髪パーツは他の髪型、他の髪の色の髪パーツに差し替えることができる。また、胴体、顔、髪以外のパーツを追加することもできる。これにより、マスコットであるストラップを長時間保有することに対する動機付けとなる効果がある。
【００１９】
なお、本実施例においては、胴体パーツ１１は心棒１４と一体に形成されているため、胴体パーツを差し替える場合には心棒１４も差し替えられることになるが、心棒１４の長さ及び形状が統一されていれば、差し替え後も顔パーツ１２及び髪パーツ１３を心棒１４に通し、留め具１５を留めることができる。
【００２０】
パーツ１２、１３のうちの所望のパーツを差し替える際には、まず、留め具１５を心棒１４から外し、差し替える各パーツ１３、１２を心棒から抜く。差し替え対象のパーツを新たなパーツに置き換え、胴体パーツ１１と一体の心棒１４に、顔パーツ１２、髪パーツ１３の貫通孔を順に通す。そして留め具１５を心棒１４に取り付ける。なお、胴体パーツ１１を差し替える場合は、同様の手順で各パーツをばらばらにし、新たな胴体パーツに顔パーツ１２、髪パーツ１３を取り付けて留め具１５を心棒１４に取り付ければよい。
【００２１】
各パーツの少なくともふたつ（例えば、胴体パーツ１１と顔パーツ１２）は、心棒１４に通したときに互いに接する箇所が、正面視において、対応する形状に湾曲してもよい。これにより、各パーツを心棒１４に通して本体部１０を構成した際に、接する箇所を安定させることができ、見た目も自然になる。
【００２２】
なお、本体部１０の各パーツ１２、１３が心棒１４に通されたときに、本体部１０が心棒１４を中心に回転しないようにしてもよい。本考案の基本構成によれば、心棒１４の断面に対して、各パーツ１２、１３の貫通孔の断面が十分に大きければよいが、心棒１４を中心に各パーツ１２、１３が回転することを防止することで所有者の満足度がさらに向上する。例えば、心棒１４及び本体部１０の貫通孔の断面形状を真円以外で構成し、心棒１４の断面の最大径が、本体部１０の貫通孔の断面の最小径よりも大きいことで構成してもよく、これにより本体部１０が心棒１４に通されたときに心棒１４を中心に本体部１０が回転しないようにできる。例えば、心棒１４は図２に示すように扁平状に形成され、本体部１０の貫通孔も対応する形状にすることができる。心棒１４を本体部１０の貫通孔に通した際の、心棒１４と貫通孔壁面との隙間をできるだけ小さくすること（すなわち、心棒１４と貫通孔の断面を、心棒１４が貫通孔を通過できる程度に貫通孔の断面を大きくとりつつ、実質的に同じ大きさにすること）により、本体部１０が図１の横方向や前後方向にぶれるのを防ぐことができる。
【００２３】
図３は、パーツの裏返しの説明図である。図４は、ストラップの背面図である。
顔パーツ（第１パーツ）１２は、表面及び裏面の両面に異なる模様（例えば、異なる表情）が形成され、裏返し可能である。顔パーツ１２と髪パーツ（第２パーツ）１３を心棒１４に通したときに、髪パーツ１３は、後ろ髪が顔パーツ１２の片面（背面）を覆う。これにより、両面に模様が形成されるパーツの片面を隠すことができ、各パーツを心棒に通したときに所望の模様以外を見えなくする又は見えにくくすることができる。
【００２４】
なお、顔パーツ１２の片面全てを覆ってもよいし、少なくとも模様が形成された部分を覆ってもよい。また、模様の一部が見えていてもよい。
【００２５】
顔パーツ１２を裏返す際は、留め具１５を心棒１４から外し、髪パーツ１３と顔パーツ１２を心棒１４から抜く。顔パーツ１２を裏返しにして貫通孔を心棒１４に通し、次に髪パーツ１３の貫通孔を心棒１４に通す。そして留め具１５を心棒１４に取り付ける。
【００２６】
なお、顔パーツ１２以外のパーツが裏返しできる構成でもよいし、髪パーツ１３以外のパーツが、両面に模様が形成されたパーツの片面（例えば背面）を覆ってもよい。
【００２７】
図３は、本体部１０の厚さも示している。図示のように本体部１０は例えば扁平状であるが、厚さは図示以外の厚さでもよい。
【００２８】
（第１変形例）
図５は、心棒の第１変形例を示す図である。
上述の例では、本体部１０の一部である胴体パーツ１１が心棒１４と一体に形成され、ストッパの役割を果たしている。本変形例では、ストラップは、本体部１１０とは別にストッパ１７を備え、ストッパ１７と心棒１４が一体に形成される。
【００２９】
図６は、第１変形例におけるストラップを正面からみた全体構成図である。
本変形例においては、本体部１１０は複数のパーツ１１１、１２及び１３で構成され、本体部１１０を構成する胴体パーツ１１１は、顔パーツ１２及び髪パーツ１３と同様に、心棒１４が通る貫通孔を有する。ストッパ１７の大きさはパーツ１１１、１２及び１３の貫通孔よりも大きくすることで、心棒１４に本体部１１０の各パーツ１１１、１２及び１３が通った際に、心棒１４の一端側から各パーツが抜け落ちるのを防ぐことができる。他の構成は、上述の実施例１と同様である。
【００３０】
本変形例によると、種々の本体部に対して心棒を共通して用いることができる。
【００３１】
（第２変形例）
図７は、心棒の第２変形例を示す図である。なお、本変形例におけるストラップの全体構成は、図６と同様であり、本変形例における心棒とストッパについては図６において括弧内に符号を付す。
【００３２】
上述の実施例及び第１変形例では、ストッパと心棒が一体に形成される例を説明した。本変形例では、心棒１８とストッパが別々に構成され、ストッパ１９は心棒１８に着脱可能に構成される。換言すると、心棒１８の一端側には留め具１５が着脱可能に取り付けられ、心棒１８の他端側にはストッパ１９が着脱可能に取り付けられる。
【００３３】
本変形例における胴体パーツ１１１は、上述の第１変形例と同様に、心棒１４が通る貫通孔を有する。ストッパ１９の大きさを、パーツ１１１、１２及び１３の貫通孔よりも大きくすることで、心棒１４が本体部１１０の各パーツ１１１、１２及び１３を通り、ストッパ１９が心棒１８に取り付けられた際に、心棒２０から各パーツが抜け落ちるのを防ぐことができる。他の構成は、上述の実施例１と同様である。
【００３４】
本変形例によると、種々の本体部に対して心棒を共通して用いることができる。また、心棒とストッパを別の素材で構成することが容易になる。さらに、ストッパも差し替え可能になる。
【００３５】
上述の実施例及び各変形例では、本体部が胴体、顔、髪の各パーツで構成される例を示したが、これに限らず、キャラクター等の本体部を構成する２つ以上の適宜の数のパーツで構成されてもよい。また、上述の実施例及び変形例では本体部がキャラクターの形状及び模様を有する例を示したが、キャラクターに限らず、適宜の形状、模様及び色彩を有するものでもよい。また、上述の実施例及び変形例では、ストラップに本考案を用いた場合の例を示したが、キーホルダー等の他のマスコットに用いるものでもよく、その場合、例えば図１の取付部１６はマグネットであったり、鍵保持部のリングであったりしてもよく、取付部１６は留め具１５と一体であってもよい。
【産業上の利用可能性】
【００３６】
本考案は、携帯電話、カバン、鍵等の携帯品や、冷蔵庫、机等の固定具に取り付けられるマスコットに利用可能である。
【符号の説明】
【００３７】
１０、１１０  本体部
１１〜１３、１１１  パーツ
１４、１８  心棒
１５  留め具
１６  取付部
１７、１９  ストッパ
【図１】
0003189655.tif 000003
【図２】
0003189655.tif 000004
【図３】
0003189655.tif 000005
【図４】
0003189655.tif 000006
【図５】
0003189655.tif 000007
【図６】
0003189655.tif 000008
【図７】
0003189655.tif 000009
【手続補正書】
【提出日】平成26年1月20日(2014.1.20)
【手続補正１】
【補正対象書類名】図面
【補正対象項目名】図５
【補正方法】変更
【補正の内容】
【図５】
0003189655.tif 000010
【手続補正２】
【補正対象書類名】図面
【補正対象項目名】図６
【補正方法】変更
【補正の内容】
【図６】
0003189655.tif 000011